(57)【特許請求の範囲】
【請求項１】
燃料タンクと圧電ユニットを収容し、該圧電ユニットと、前記燃料タンクからの燃料の供給を制御する燃料供給弁とを略同時に操作する外部に露出した操作部材を側面に有する本体と、
該本体に一端を回動自在に結合され、他端近傍に炎噴出ノズルを収容し、該本体の前記側面に対して畳み込まれた収納位置と本体に対して９０度以上開いた使用位置との間で開閉自在とされた回動アーム部とからなり、
前記本体と前記回動アーム部に、前記燃料タンクに一端を接続され、前記炎噴出ノズルに他端を接続された可撓性燃料導管が収容されてなる折りたたみ式着火器において、
前記回動アーム部が前記収納位置に畳み込まれる際に該回動アーム部と前記操作部材との間に指等の外部物体が介在したとき、該回動アーム部の畳み込みを防止する安全機構をさらに有し、
該安全機構は、前記操作部材の操作により搖動する前記本体内の軸承部に軸支された回動阻止部材を有し、
該回動阻止部材は、前記操作部材の押込み操作により押されるよう該操作部材の移動範囲に干渉する位置に張り出した第１のアームと、該第１のアームが前記操作部材の押込み操作により押されたとき、前記回動アーム部の一部が該回動アーム部の畳み込み動作により移動する範囲に移動して、該回動アーム部が畳み込まれるのを阻止する第２のアームとを、前記軸承部の反対側に有するものであることを特徴とする折りたたみ式着火器。
【請求項２】
前記第２のアームは、前記回動アーム部が畳み込まれるのを阻止する位置からさらに前記操作部材が押し込まれたとき、該操作部材の更なる押込みにより前記回動アーム部を押し開くように該回動アーム部の前記一部に係合していることを特徴とする請求項１記載の折りたたみ式着火器。
【発明の詳細な説明】
【技術分野】
【０００１】
本発明は、操作部材の操作によって圧電ユニットを駆動し、本体から延出した回動アーム部の先端部から炎を噴出させる着火器に関し、特に、回動アーム部が着火器の本体に回動可能に取り付けられた折りたたみ式着火器に関するものである。
【背景技術】
【０００２】
従来、ガス器具や、固形燃料等の着火、或いは花火の点火などに着火器が用いられている。このような着火器の一例として、本体から棒状に延びた、炎を噴出する先端パイプ（延長部）を有する着火器が知られている（特許文献１）。この着火器は、本体内にガスタンクと操作部材により操作される圧電ユニットを有し、操作部材の操作により、先端パイプの先端から炎を噴出するようになっている。この形状の着火器は、手で持つ本体と炎が噴出する先端パイプの先端とが離れているため、火傷を負うことなく安全且つ容易に着火できるが、着火器の全体の形状が長くなるため、着火器の保管収納のために比較的大きなスペースを要するという問題がある。
【０００３】
この問題を解決するために、炎が噴出する棒状の延長部を本体に対して、伸縮可能にし、あるいは、折りたたみ可能にして使用しないときは小型化できるようにしたライターが知られている。例えば、その一例として、本体の一端側に棒状先端部が回動可能に取り付けられた折たたみ式ライターが知られている（特許文献２）。このライターは、通常は、先端部（延長チューブ）が本体に回動可能に折りたたまれた位置にあり、使用時（点火時）には先端部を回動させて本体から延出させて使用するようになっている。操作部材は、本体に、折りたたまれた先端部との間に位置するように取り付けられている。
【特許文献１】特開平９−１３３３５９号公報（図１）
【特許文献２】特公平５−１４１７２号公報（図２、図３）
【発明の開示】
【発明が解決しようとする課題】
【０００４】
特許文献２に開示されたライターは、延長チューブを折りたたむ際に、指や、物を延長チューブと操作部材との間に挟んで、指や物を損傷するおそれがあり、また、誤って押しボタンを押して点火してしまうおそれもある。
【０００５】
本発明は、上記事情に鑑みてなされたものであり、回動アームを折りたたんでコンパクトにする際に、回動アームと着火器本体との間に指や物を挟んでけがや損傷することなく、また、その際誤って操作ボタンを押しても点火するおそれのない安全な折りたたみ式着火器を提供することを目的とするものである。
【課題を解決するための手段】
【０００６】
本発明の折りたたみ式着火器は、燃料タンクと圧電ユニットを収容し、圧電ユニットと、燃料タンクからの燃料の供給を制御する燃料供給弁とを略同時に操作する外部に露出した操作部材を側面に有する本体と、
本体に一端を回動自在に結合され、他端近傍に炎噴出ノズルを収容し、本体の側面に対して畳み込まれた収納位置と本体に対して９０度以上開いた使用位置との間で開閉自在とされた回動アーム部とからなり、
本体とアーム部に、燃料タンクに一端を接続され、炎噴出ノズルに他端を接続された可撓性燃料導管が収容されてなる折りたたみ式着火器において、
回動アーム部が収納位置に畳み込まれる際に回動アーム部と操作部材との間に指等の外部物体が介在したとき、回動アーム部の畳み込みを防止する安全機構をさらに有し、
安全機構は、操作部材の操作により搖動する本体内の軸承部に軸支された回動阻止部材を有し、
回動阻止部材は、操作部材の押込み操作により押されるよう操作部材の移動範囲に干渉する位置に張り出した第１のアームと、第１のアームが操作部材の押込み操作により押されたとき、回動アーム部の一部が回動アーム部の畳み込み動作により移動する範囲に移動して、回動アーム部が畳み込まれるのを阻止する第２のアームとを、軸承部の反対側に有するものであることを特徴とするものである。
【０００７】
また、第２のアームは、回動アーム部が畳み込まれるのを阻止する位置からさらに操作部材が押し込まれたとき、操作部材の更なる押込みにより回動アーム部を押し開くように回動アーム部の一部に係合するように構成することができる。
【発明の効果】
【０００８】
本発明の折りたたみ式着火器は、本体に一端を回動自在に結合された回動アーム部が収納位置に畳み込まれる際に指等の外部物体が介在したとき、回動アーム部の畳み込みを防止する安全機構を有し、安全機構は、操作部材の操作により搖動する本体内の軸承部に軸支された回動阻止部材を有し、回動阻止部材は、操作部材に干渉する位置に張り出した第１のアームと、第１のアームが操作部材により押されたとき、回動アーム部が畳み込まれるのを阻止する第２のアームとを、軸承部の反対側に有するものであるので次の効果を奏する。
【０００９】
すなわち、回動アーム部を折りたたむ際に、指や、物を回動アーム部と押しボタンとの間に挟んでも、回動阻止部材によって回動アームが畳み込まれるのが阻止されるため、指をけがしたり、物を損傷したりすることがない。また、回動アームが畳み込まれないので、指や物を介して偶発的に押しボタンを押して点火してしまうおそれがない。
【００１０】
また、第２のアームは、回動アーム部が畳み込まれるのを阻止する位置からさらに操作部材が押し込まれたとき、該操作部材更なる押込みにより回動アーム部を押し開くように回動アーム部の一部に係合するように構成されている場合は、相当強く指や物を回動アーム部と本体との間に挟んでも、誤って点火することを一層確実に防止することができるとともに、指や物が損傷することを確実に防止することができる。
【発明を実施するための最良の形態】
【００１１】
以下、本発明の折りたたみ式着火器（以下、単に着火器という）の好ましい実施の形態について添付図を参照して詳細に説明する。図１は、折りたたまれた状態にある着火器１を示す斜視図であり、図２は、展開されて使用可能な状態にある着火器１を示す斜視図である。図１および図２に示すように、着火器１は、手で把持する本体２と、この本体２の一端側に回動自在に軸支された回動アーム部４を有する。この本体２内には、後述する圧電ユニット１０２（図８）および燃料タンク１０６（図８）が収容されている。本体２の一端側には枢着部６が形成されており、回動アーム部４の一端には枢着部６に対応して枢着部６に枢着される被枢着部１０が形成されている。本体２には、枢着部６の近傍の開口３２から露出するように操作ボタン（操作部材）８が取り付けられている。この操作ボタン８を指で押圧して点火するようになっている。
【００１２】
本体２の側壁１４（図２）には、液化ガス等の燃料の残量を確認できる確認窓１２が形成されている。また、本体２には、噴出する炎の長さを調節する調節突起１６が突出する開口１８が形成されている。また、回動アーム部４には、パイプ組立体２０が、回動アーム部４の長手方向に沿って摺動可能に収容されている。パイプ組立体２０は、回動アーム部４が閉位置（収納位置）、すなわち図１に示すように本体２に重なるように畳み込まれている場合は、回動アーム部４内に引き込まれた状態となっている。他方、回動アーム部４を開位置（使用位置）、すなわち図２に示すように本体２に対して９０度以上開いた場合は、パイプ組立体２０の先端筒２０ａは、回動アーム部４の先端４ａの露出口（開口）６０ｂから突出した状態となっている。
【００１３】
本体２は、互いに組み合わされる２つの部材、すなわち半体２ａ、２ｂと、これらの半体２ａ、２ｂを互いに結合した状態に保持する本体カバー２ｃとを有する。次に、半体２ａ、２ｂおよび本体カバー２ｃについて、図３〜図５を参照して説明する。図３は、図１および図２において、手前側の半体２ａを示す斜視図であり、図３（ａ）は、半体２ａを外側から見た状態を示し、図３（ｂ）は内側から見た状態を示す。図４は、図３の半体２ａと逆側の半体２ｂを示し、図４（ａ）は内側から見た正面図であり、図４（ｂ）は内側から見た斜視図である。図５は、本体カバー２ｃを示し、図５（ａ）は斜視図であり、図５（ｂ）は図５（ａ）の５ｂ−５ｂ線に沿う断面を示す斜視図である。
【００１４】
図３に示すように、一方の半体２ａは、例えば、合成樹脂から一体に成形されており、枢着部６の一部を構成する円環状の軸部（回動軸）６ａおよび主部２２ａとを有する。軸部６ａの円環状の面２８ａには、円形の開口２４ａと、この開口２４ａに連続して成形された円筒状の軸受３０ａおよび軸受３０ａの外側に軸受３０ａと同軸に形成された環状壁（円筒壁）２６ａを有する。主部２２ａには、上部に操作ボタン８を収容するための切欠き３２ａが形成されている。主部２２ａは、ほぼ平行に延出する上壁３４ａおよび底壁３６ａを有する。上壁３４ａと底壁３６ａの内側には、舌片３８ａ、３９ａがそれぞれ軸部６ａと反対側に延出するように一体に形成されている。主部２２ａの外面には、本体カバー２ｃの位置決めに使用される溝３７ａが上下方向に形成されている。なお、ここで上下とは、説明に当たり参照している図における上下をいう。
【００１５】
次に、軸部６ａについて、図３（ｂ）を参照してさらに詳細に説明する。軸受３０ａの外周面３１ａには、所定の間隔で２つのリブすなわち停止片４０ａ、４１ａが形成されている。各停止片４０ａ、４１ａは、外周面３１ａとの間、且つ軸部６ａの内方に間隙を有するように切欠き４２ａ、４３ａが形成されている。また、環状壁２６ａの主部２２ａ側には、内方に向く切欠き４４ａが形成されている。また、主部２２ａの内面には、切欠き４４ａの近傍に突起４６ａが内方に突出するように形成され、さらに突起４６ａから他端側に離隔した位置に、内向きの長円形の凹み４８ａを有する受座５０ａが形成されている。この受け座５０ａは操作ボタン８の軸受となる。
【００１６】
次に、他方の半体２ｂについて、図４を参照して説明する。半体２ｂは半体２ａと略対照的な形状であり、軸部６ｂと、主部２２ｂとを有する。軸部６ｂは、軸部６ａと同じ外径の環状壁（円筒壁）２６ｂを有する。停止片４０ｂ、４１ｂは、軸受（回動軸）３０ｂの外周面３１ｂ上に、それぞれ停止片４０ａ、４１ａに対応する位置にある。なお、停止片４０ａ、４０ｂを総括して係合部４０と称し、停止片４１ａ、４１ｂを総括してストッパ４１と称する。軸受３０ｂには、軸受３０ａとは異なって軸受３０ｂの円周に沿って互いに離隔した３つの切欠３０ｃ、３０ｄ、３０ｅが形成されている。また、主部２２ｂには、切欠３２ａに対応する切欠３２ｂが形成されている。なお、切欠き３２ａ、３２ｂにより、半体２ａ、２ｂが合体されると、操作ボタン８を受容する１つの開口３２が構成される（図１、図２）。この切欠３２ｂの下部には、前述の突起４６ａおよび受座５０ａに対応する位置に、それぞれ同様な突起４６ｂおよび受座５０ｂが形成されている。そして、さらに主部２２ｂの上壁３４ｂ、底壁３６ｂには、前述の舌片３８ａ、３９ａにそれぞれ対応する位置に舌片３８ｂ、３９ｂが形成されている。なお、これら受座５０ａ、５０ｂを総括して軸承部５０という。また、舌片３８ａ、３８ｂおよび舌片３９ａ、３９ｂを総括して、それぞれ保持片３８、３９という。なお、半体２ｂの主部２２ｂの外面にも、溝３７ａに対応して溝３７ｂが形成されている。
【００１７】
次に、図５を参照して本体カバー２ｃについて説明する。本体カバー２ｃは、前述の２つの半体２ａ、２ｂを互いに内側を向き合わせにして合体させ、この合体した半体２ａ、２ｂの他端側から半体２ａ、２ｂに装着するようにして使用される。本体カバー２ｃは、一端に上向きの湾曲した１対のエッジ５２、５２が形成された開口部５４を有する。図５（ｂ）に示すように、本体カバー２ｃ内には、後述する圧電ユニット１０２や、燃料タンク１０６（図８）を収容した際に位置決めするリブ５６ａ、５６ｂ、５６ｃが突設されている。リブ５６ａは本体カバー２ｃの長手方向に沿って左右に１対形成されており、リブ５６ｂは、同様に長手方向に沿って上下に１対形成されている（図８）。なお、それぞれ対となる相手側のリブ５６ａ、５６ｂ、５６ｃについては、図５（ｂ）には示されていない。リブ５６は最奥部に縦に形成されている。また、側壁１４の内面には、前述の半体２ａ、２ｂを受容したときに、半体２ａ、２ｂの溝３７ａ、３７ｂと係合する、ビード５８が形成されている。図５では一方のビード５８のみ示されている。このビード５８と溝３７ａ、３７ｂとの係合により、本体カバー２ｃの位置決め並びに固定がなされる。
【００１８】
次に、上記の如く、半体２ａ、２ｂおよび本体カバー２ｃから構成された本体２に枢着される回動アーム部４について、図６を参照して詳細に説明する。図６は回動アーム部４を示し、図６（ａ）は斜視図、図６（ｂ）は正面図である。回動アーム部４は、被枢着部１０と、この被枢着部１０に一体に形成された、細長い保護カバー６０とを有する。保護カバー６０は、例えば合成樹脂等の断熱性材料により形成され、内部に保護カバー６０の長手方向に貫通する空洞６２を有する。この保護カバー６０を持って、パイプ組立体２０の先端筒２０ａに触れずに回動アーム部４を回動させることができる。被枢着部１０は、半体２ａ、２ｂの軸部６ａ、６ｂの間に回動可能に挟持されて枢着される。被枢着部１０は軸部６ａ、６ｂと略同じ外径の環状壁（円筒壁）２６ｃを有する。環状壁２６ｃには、本体２の環状壁２６ａ、２６ｂが被冠される環状段部６４が形成されている。なお、環状壁２６ｃと環状段部６４には、保護カバー６０の空洞６２と環状壁２６ｃ内が連通するように開口６６が形成されている。
【００１９】
環状壁２６ｃ内には、円周方向に互いに離隔した３つの支持壁６８ａ、６８ｂ、６８ｃにより、円弧状内壁（外筒）７０が環状壁２６ｃと同軸に一体的に支持される。これら円弧状内壁７０と環状壁２６ｃとの間に円環状の空間が形成される。支持壁６８ａと支持壁６８ｃは、円弧状内壁７０の中心を挟んで対称的に位置しており、支持壁６８ｂはそれらの支持壁６８ａ、６８ｂの中間で円弧状内壁７０の下端に位置している。なお、前述の軸受３０ａ、３０ｂは、外筒に対して内筒と称する。円弧状内壁７０は、上部すなわち開口６６側が切り欠かれた形状となっている。
【００２０】
この円弧状内壁７０には、半体２ｂ側に向けて突出した２つの突片７２ａ、７２ｂが形成されている。突片７２ａは支持壁６８ａの下部近傍に形成され、突片７２ｂは支持壁６８ｃと略同じ位置に形成されている。これらの突片７２ａ、７２ｂには、それらの先端部に内側に向く膨出部７３が形成されている。これらの突片７２ａ、７２ｂの膨出部７３は、本体２と回動アーム部４が組み立てられると、半体２ｂの軸受３０ｂの切欠３０ｃ、３０ｄ、３０ｅと所定の３つの角度で係合する。すなわち、回動アーム部４の折りたたみ位置と、拡開した使用位置と、それらの間の中間位置で、回動アーム部４の操作にクリック感を付与するようになっている。これにより、着火器１が様々な位置、姿勢になっても、これらの所定の角度から回動アーム部４が変位するのを阻止し、安定して使用できるようになっている。
【００２１】
また、図６に示すように、環状壁２６ｃの下側すなわち支持壁６８ｂ側には、環状壁２６ｃの円周方向に沿って延びる突条（肉厚部）７４が形成されている。突条７４は、環状壁２６ｃの半体２ｂ側の縁部に沿って、環状壁２６ｃの下端から支持壁６８ａ、支持壁６８ｃの両方に延びるように形成されている。突条７４は、支持壁６８ａに向けて僅かに延出しており、支持壁６８ｃに向けては、支持壁６８ｂと支持壁６８ｃの円周に沿う距離の１/２以上に亘って延出している。また、円弧状内壁７０には、支持壁６８と略同じ位置にリブ７６が外向きに突設されている。さらに、円弧状内壁７０には、このリブ７６の直下にスロット７８が形成されている。
【００２２】
保護カバー６０は、露出口６０ｂを有する金属製のキャップ６０ａを有する。キャップ６０ａは、例えば図示しない係合爪により、保護カバー６０の先端に設けられた凹部或いは穴（図示せず）に係合して係止される。なお、このキャップ６０ａの材質は、ナイロン材等の断熱素材であってもよい。
【００２３】
次にパイプ組立体２０について図７を参照して説明する。図７は、パイプ組立体２０を示し、図７（ａ）は斜視図、図７（ｂ）は、図７（ａ）において７ｂで示す領域の部分断面図であり、パイプ組立体２０内にノズル部とガスパイプを組み込んだ状態を示す。パイプ組立体２０は、金属製の先端筒２０ａと、この先端筒２０ａが取り付けられる先端パイプ部２０ｂとを有する。先端筒２０ａは円筒形であり、先端に炎が噴出する火口８２を有する。先端パイプ部２０ｂは、例えば合成樹脂から形成され、先端筒２０ａが取り付けられる円筒部８４、この円筒部８４に一体に形成された板状の延長部８６を有する。延長部８６の先端すなわち本体側端部はＴ字状に形成されている。すなわち、本体側端部には、パイプ組立体２０の長手方向と直交する方向且つ両側に横に張り出した円柱状の凸部８８が形成されている。図７（ｂ）に示すように、先端パイプ部２０ｂには円筒部８４に連続して先端筒２０ａ内に収容されるノズル保持部９０が形成されている。円筒部８４とノズル保持部９０を有する先端筒２０ａには、先端筒２０ａの長手方向に延びる空間９２が形成されている。この空間９２には、ノズル部（炎噴出ノズル）９４およびこのノズル部９４に連結されるガスパイプ９６が配置される。
【００２４】
ノズル部９４は、ノズルチップ９４ａおよびこのノズルチップ９４ａが先端に差し込まれたノズル本体９４ｂを有する。このノズル部９４は、ノズルチップ９４ａがノズル保持部９０の外側になるようにノズル保持部９０の先端に固定される。ガスパイプ（可撓性燃料導管）９６は、ノズル部９４のノズル本体９４ｂに連結パイプ９８を介して連結される。連結パイプ９８は、例えば、ナイロン等から成形される。ノズル保持部９０の先端部外側には、ノズルチップ９４ａを保護するノズルカバー１００が取り付けられている。
【００２５】
次に、図８および図９を参照して、着火器１についてさらに詳細に説明する。図８は、図１に示す着火器１の８−８線に沿う断面図であり、図９は図１に示す着火器１の９−９線に沿う断面図である。図８に示すように、回動アーム部４は、本体２に重なって閉じられた状態すなわち折りたたまれた状態にある。本体２内には圧電ユニット１０２と、この圧電ユニット１０２を保持するハウジング１０４と、燃料タンク１０６が配置される。圧電ユニット１０２は、圧電ユニット１０２が発電するように押圧されるスライド部１０２ａを有する。燃料タンク１０６は、角筒状の部材がハウジング１０４に、圧電ユニット１０２と反対側から装着および固定されて構成される。これらの圧電ユニット１０２および燃料タンク１０６は、前述のリブ５６ａ、５６ｂ、５６ｃ、保持片３８、３９により位置決めされるとともに保持されている。また、本体２の操作ボタン８が、本体２の開口３２に臨むように軸承部５０に回動可能に軸支されている。
【００２６】
次に、この操作ボタン８について図１０を併せて参照して説明する。図１０は、操作ボタン８を示し、図１０（ａ）は斜視図、図１０（ｂ）は平面図、図１０（ｃ）は側面図、図１０（ｄ）は正面図をそれぞれ示す。操作ボタン８は、平面視で、一端側が大きな円弧状に、他端側が小さな円弧状に形成された変形の円形乃至は楕円形状の上壁１０８を有している。上壁１０８の周囲は周壁１１０により囲まれており、周壁１１０の内側は空洞となっている。周壁１１０の一端側には、板状部８ａが側方に突設され、この板状部８ａの片側すなわち半体２ｂ側にＬ字状の係合爪（フック部）８ｂが斜め上方に延びるように形成されている。係合爪８ｂの先端には内向きの突起１１２が形成されている。
【００２７】
板状部８ａは、操作ボタン８が本体２の開口３２の一端側の下縁に下方から当接する。これにより、操作ボタン８が開口３２から外部に抜け出ることがない様にしている。また、周壁１１０の他端側には、軸承部５０に軸支される１対の円柱状の軸８ｃが軸承部５０に対応する位置に突設されている。また、周壁１１０の下縁１１４の一端側には、下向きの切欠き８ｄが形成されている。また、図８に示すように、上壁１０８の他端側からアーム８ｅが一体に垂下している。このアーム８ｅの下端には、スライド部１０２ａに向く湾曲突起１１６が形成されている。
【００２８】
操作ボタン８が軸承部５０に軸支されると、前述の係合爪８ｂは、枢着部６に位置する。また、アーム８ｅの湾曲突起１１６は、ばね付勢されて突出した状態のスライド部１０２ａに接触乃至はその近傍に位置する。また、軸８ｃは、楕円形の軸承部５０内で遊動的に軸支され、他端側へ水平に移動し得る状態になっている。枢着部６において、回動アーム部４の円弧状内壁７０内に、半体２ａ、２ｂの円形の軸受３０ａ、３０ｂが回動可能に嵌入されているのが明瞭に示されている。
【００２９】
図８および図９には、回動アーム部４が本体２に軸支されている状態が明瞭に示されている。すなわち本体２の軸受３０ａ、３０ｂに、回動アーム部４の円弧状内壁７０が回動可能に軸支されている。なお、図８では軸受３０ｂが表れており、図９では軸受３０ａが表れている。また、合体した軸受３０ａ、３０ｂの内側にはスリーブ１４６が挿入固定されている。スリーブ１４６は、円筒状であり、両端に環状凸部１４７を有する（図１、図２）。他方、半体２ａ、２ｂのそれぞれの開口２４ａ、２４ｂの外側周縁部には、図３（ａ）および図１３に示すように環状段部１４８が形成されている。スリーブ１４６が軸受３０ａ、３０ｂに嵌めこまれると、スリーブ１４６の環状凸部１４７が環状段部１４８に係合して、スリーブ１４６が軸受３０ａ、３０ｂ内に固定されるとともに、半体２ａ、２ｂが離隔しないように半体２ａ、２ｂを保持している。
【００３０】
次に、枢着部６内における係合爪８ｂと、回動アーム部４の突条７４との位置関係について図１２を併せて参照して説明する。図１２は、回動アーム部４が閉じた状態のときの枢着部６およびその近傍を示す部分断面斜視図である。係合爪８ｂは、環状壁２６ｃの縁部近傍に位置しており、係合爪８ｂの突起１１２が回動アーム部４の環状壁２６ｃの内側の縁部近傍に位置している。そして、環状壁２６ｃの縁部下方に形成された突条７４は、係合爪８ｂから下方に離隔した位置にある。
【００３１】
図８、図９に示すように、回動アーム部４の保護カバー６０内には、前述のパイプ組立体２０が配置されており、延長部８６は、回動アーム部４の開口６６を通って枢着部６に位置している。そして、延長部８６の凸部８８は、停止片４０ａ、４０ｂの一端側に位置し停止片４０ａ、４０ｂすなわち係合部４０と係合している。この状態にあるときに、先端筒２０ａを引っ張り出そうとしても、凸部８８が係合部４０と係合しているため引き出すことができず、コンパクトな状態に維持される。なお、図８では、停止片４０ｂのみ見えるが、停止片４０ａは停止片４０ｂと同じ位置に手前側にある。このとき延長部８６は停止片４０ａ、４０ｂの間に位置している。すなわち、この状態では、パイプ組立体２０は、保護カバー６０から他端側に向けて外側に突出することはなく、保護カバー６０に引き込まれた状態となっている。
【００３２】
次に図９を参照して、さらに、着火器１について説明する。燃料タンク１０６を取り付けたハウジング１０４には、ガスパイプ９６と接続してガスパイプ９６に燃料を供給する接続部１１８が取り付けられている。ガスパイプ９６は、枢着部６を通過してパイプ組立体２０に至る。操作ボタン８の切欠き８ｄに対応する位置に、レバー部材（回動阻止部材）１２０が配置されている。このレバー部材１２０は、回動アーム部４の畳み込みを防止する安全機構となる。次に、このレバー部材１２０について、図１１および図１３を併せて参照して説明する。図１１はレバー部材を示し、図１１（ａ）は斜視図、図１１（ｂ）は平面図、図１１（ｃ）は右側面図、図１１（ｄ）は正面図、図１１（ｅ）は底面図をそれぞれ示す。また、図１３は、枢着部６およびその近傍を示す部分断面斜視図である。
【００３３】
レバー部材１２０は、概ね細長い板状を呈しており、一端側近傍の側縁１２４ａには、横方向に円柱状の支軸１２０ａが突設されている。図１１（ａ）に示すように、この支軸１２０ａから操作ボタン８側に延びた部分を第１のアーム１２１と称し、枢着部６側に延びた部分を第２のアーム１２３と称する。また、レバー部材１２０の上面１２６および下面１２８には、支軸１２０ａと位置合わせして円弧状突起１２０ｃが形成されている。また、第２のアーム１２３には、支軸１２０ａと反対側の側縁１２４ｂの下面１２８側に矩形舌片１２０ｂが横方向に突設されている。第１のアーム１２１には、矩形舌片１２０ｂより大きい矩形板部１２０ｄが形成されている。レバー部材１２０は、半体２ａの軸承部１２２（図３（ｂ））に、矩形板部１２０ｄを操作ボタン８側にして支軸１２０ａが軸支される。そして、半体２ａ側に配置された圧縮コイルばね（以下、単にばねという）１３０により支持されている。着火器１の組立状態では、操作ボタン８の切欠８ｄは、第１のアーム１２１の矩形板部１２０ｄと係合している。矩形舌片１２０ｂを含む第２のアーム１２３の先端部１２０ｅは、回動アーム部４の円弧状内壁７０のスロット７８に係合している。
【００３４】
次に、このように構成された着火器１を使用する時の状態について、図１４および図１５を参照して説明する。図１４は、着火器１の回動アーム部４が若干開いた状態を示す、図６と同様な縦断面図である。図１５は、枢着部６、操作ボタン８およびこれらの近傍を示す要部拡大断面図である。図１５を参照すると、回動アーム部４を開くように回動させると、パイプ組立体２０の凸部８８は、係合部４０から離れて図１４において時計回りに回動する。この回動アーム部４の位置は、回動アーム部４を閉じた位置から開いたとき、の状態である。この状態のときに、操作ボタン８と回動アーム部４との間に、例えば、指等の外部物体１３４が位置し、回動アーム部４が、外力が加わる等により閉じる方向に偶発的に回動すると、操作ボタン８を矢印１３６で示すように下方に押圧することになる。
【００３５】
このとき操作ボタン８と係合しているレバー部材１２０は、図１４において反時計回りに回動される。図１５に詳細に示されているように、このとき、レバー部材１２０の先端部１２０ｅは、回動アーム部４の円弧状内壁７０のスロット７８と係合している。そして、さらに回動アーム部４によって操作ボタン８が下方に押圧されると、操作ボタン８はレバー部材１２０の矩形板部１２０ｄをさらに下方に押圧する。その結果、レバー部材１２０の先端部１２０ｅは、スロット７８の上に隣接して形成されているリブ７６を上方に付勢する。それにより、回動アーム部４の保護カバー６０がそれ以上下方に移動することが阻止される。このとき操作ボタン８は、レバー部材１２０が抵抗となって押し難い状態となる。この状態では、操作ボタン８のアーム８ｅが、圧電ユニット１０２のスライド部１０２ａをある程度押圧しているが、着火するまでには至っていない。
【００３６】
このときの、レバー１２０と反対側に設けられた操作ボタン８の係合爪８ｂと、回動アーム部４の環状壁２６ｃに形成された突条７４の位置関係について、図１６を参照して説明する。図１６は、図１４とは異なる位置の着火器１の断面を示す、図８と同様の断面図であり、図１６（ａ）は図１４と同じ状態の着火器１の断面であり、図１６（ｂ）は操作ボタン８がさらに押圧されたときの状態を示す要部断面図である。図１６（ａ）に示すように、突条７４は、係合爪８ｂ近傍に位置しているが、まだ係合爪８ｂと係合するまでには至っていない。操作ボタン８が押圧されることにより、操作ボタン８のアーム８ｅがスライド部１０２ａを僅かに押圧している。
【００３７】
この状態からさらに、回動アーム部４が下方に押圧されると、前述の如く回動アーム部４は、図１６（ｂ）において反時計回りに拡開するとともに、操作ボタン８の係合爪８ｂが、突条７４に係合する。すなわち、係合爪８ｂの突起１１２と環状壁２６ｃとの間に突条７４が係入する。このとき、操作ボタン８のアーム８ｅは、さらにスライド部１０２ａを押圧しているが、まだ点火はしていない。点火するためには、操作ボタン８の軸８ｃが、軸承部５０内を図１６（ｃ）において右方に移動するように、操作ボタン８を移動させてさらにスライド部１０２ａを押圧する必要がある。しかし、係合爪８ｂの突起１１２は、突条７４と係合しているので移動させることはできない。このように係合爪８ｂと突条７４によりロック機構が構成される。これにより、回動アーム部４が僅かに拡開しているときに、回動アーム部４により指等の外部物体１３４が、回動アーム部４と本体２との間に挟まれて操作ボタン８を押して偶発的に着火することが阻止される。
【００３８】
次に、回動アーム部４をさらに開いた状態について図１７を参照して説明する。図１７は、回動アーム部４を略直角に開いた状態を示す部分断面図である。この状態では、前述の突片７２ａ、７２ｂの膨出部７３が、それぞれ切欠３０d、３０ｅに係合して、回動アーム部４の位置は、この状態に維持され、突条７４は係合爪８ｂから外れる。従って、操作ボタン８を押して点火しようと思えば可能であるが、この位置では通常は点火しない。偶発的に点火しても、回動アーム部４の火口８２から噴出する炎が本体２を持つ手元に吹き付けて火傷を負ったりすることがない。重要なことは、回動アーム部４のこの位置で前述のパイプ組立体２０の凸部８８が、本体２のストッパ４１に当接している点である。従って、回動アーム部４を反時計回りに回動させてさらに拡開しても、凸部８８がストッパ４１に係合したままであるので、パイプ組立体２０が保護カバー６０内を保護カバー６０から突出するように摺動を開始する。
【００３９】
このようにして、回動アーム部４をさらに拡開した状態について、図１８および図１９を参照して説明する。図１８は、回動アーム部４を約１５０°拡開した状態を示す着火器１の縦断面図であり、図１９は、図１８とは異なる位置の断面を示す着火器１の縦断面図である。図１８および図１９に示されているように、パイプ組立体２０の凸部８８はストッパ４１に当接した状態で、回動アーム部４が回動されるので、パイプ組立体２０のノズル部９４側端部となる先端筒２０ａは、保護カバー６０の露出口６０ｂ（図６（ａ））から押し出された状態となる。この状態のときは、点火の際に先端筒２０ａが、例えば、図示しないガス器具等の外部の物体に当たっても、パイプ組立体２０の凸部８８が、ストッパ４１に当接しているので、先端筒２０ａが保護カバー６０内に潜り込むことはない。従って、樋口８２から噴出した炎が保護カバー６０にかかるおそれは少ない。図１８に示されているように、操作ボタン８は、その下縁の切欠８ｄが本体２の突起４６ａに当接して、それ以上の回動が阻止されている。図１９においては、スライド部１０２ａの移動量は電圧発生に必要とされるスライド量にまだ達していない。
【００４０】
この状態から操作ボタン８を矢印１３８で示すように、水平に右方向に移動させると、図２０に示すように、点火に必要なスライド部１０２ａの所望のスライド量を得ることができる。図２０は、操作ボタン８をスライドさせたときの状態を示す要部拡大断面図である。図２０に示すように、操作ボタン８のスライド操作により、アーム８ｅが、圧電ユニット１０２のスライド部１０２ａを所定距離ｄ押圧して、圧電ユニット１０２が発電する。これによりノズルチップ９４ａ近傍に放電させることができる。点火して炎を噴出している回動アーム部４を図２０において時計回りに回動させて、本体２に閉じようとすると、回動アーム部４の突条７４が、操作ボタン８の係合爪８ｂの突起１１２に係合して抵抗となり所定の角度以下には閉じることはできない。従って、本体２を持っている手を火傷したり、衣服を焦がしたりすることを防止することができる。
【００４１】
また、スライド部１０２ａの移動に連動して、燃料供給弁が作動するようになっている。この燃料供給弁の作動状態について、図２１を参照して説明する。図２１は、燃料供給弁の作動状態を示す、図８の２１−２１線に沿う断面図であり、図２１（ａ）は着火操作前の状態を示し、図２１（ｂ）は着火操作後の状態を示す部分断面図である。スライド部１０２ａは、燃料供給弁側に位置する、スライド部１０２ａの摺動方向に沿ってスライド部１０２ａと一体に成形されたレバー押し部１０２ｂを有する。この摺動部１０２ｂはスライド部１０２ａの移動とともに移動する。他方、ハウジング１０４には、燃料供給弁１４２が配置されている。この燃料供給弁１４２には、紙面と同じ面内で軸１４５に揺動可能に軸支された略Ｌ字状のレバー１４４が係合している。レバー１４４は、燃料供給弁１４２に係合した係合アーム１４４ａとレバー押し部１０２ｂ近傍に位置する駆動アーム１４４ｂを有する。
【００４２】
圧電ユニット１０２のスライド部１０２ａが図２１において右方向に押圧されていない状態では、駆動アーム１４４ｂはレバー押し部１０２ｂの通路内に突出している。スライド部１０２ａが操作ボタン８のアーム８ｅにより押圧されると、駆動アーム１４４ｂがレバー押し部１０２ｂにより押圧されて、図２１において時計回りに回動する。それにより、係合アーム１４４ａが時計回りに回動して、燃料供給弁１４２を左方に移動させてガスの噴出を可能とする。燃料供給弁１４２噴出したガスは、ガスパイプ９６を通ってノズル部９４へと導かれる。また、圧電ユニット１０２からは、電線１４０（図８）がノズル部９４と、先端筒２０ａのノズルチップ９４ａ近傍に配線されており、放電によりノズルチップ９４ａから噴出したガスに着火する。これらの構成は一般的に知られた構成であるので、詳細な説明はここでは省略する。
【図面の簡単な説明】
【００４３】
【図１】本発明の一例となる折りたたみ式着火器の折りたたまれた状態を示す斜視図
【図２】展開されて使用可能な状態にある図１の折りたたみ式着火器を示す斜視図
【図３】図１および図２において、手前側の半体を示す斜視図であり、（ａ）は、半体を外側から見た状態を示し、（ｂ）は内側から見た状態を示す。
【図４】図３の半体と逆側の半体を示し、（ａ）は内側から見た正面図であり、（ｂ）は内側から見た斜視図を示す。
【図５】本体カバーを示し、（ａ）は斜視図、（ｂ）は図５（ａ）の５ｂ−５ｂ線に沿う断面を示す斜視図をそれぞれ示す。
【図６】回動アーム部を示し、（ａ）は斜視図、（ｂ）は正面図である。
【図７】パイプ組立体を示し、（ａ）は斜視図、（ｂ）は、（ａ）において７ｂで示す領域の部分断面図であり、パイプ組立体内にノズル部とガスパイプを組み込んだ状態を示す。
【図８】図１に示す折りたたみ式着火器の８−８線に沿う断面図
【図９】図１に示す折りたたみ式着火器の９−９線に沿う断面図
【図１０】操作ボタンを示し、（ａ）は斜視図、（ｂ）は平面図、（ｃ）は側面図、（ｄ）は正面図をそれぞれ示す。
【図１１】レバー部材を示し、（ａ）は斜視図、（ｂ）は平面図、（ｃ）は右側面図、（ｄ）は正面図、（ｅ）は底面図をそれぞれ示す。
【図１２】回動アーム部が閉じた状態のときの枢着部およびその近傍を示す部分断面斜視図
【図１３】枢着部およびその近傍を示す部分断面斜視図
【図１４】折りたたみ式着火器の回動アーム部が若干開いた状態を示す、図６と同様な縦断面図
【図１５】枢着部、操作ボタンおよびこれらの近傍を示す要部拡大断面図
【図１６】図１４とは異なる位置の折りたたみ式着火器の断面を示す、図８と同様の断面図であり、（ａ）は図１４と同じ状態の折りたたみ式着火器の断面であり、（ｂ）は操作ボタンがさらに押圧されたときの状態を示す要部断面図である。
【図１７】回動アーム部を略直角に開いた状態を示す部分断面図
【図１８】回動アーム部を約１５０°拡開した状態を示す折りたたみ式着火器の縦断面図
【図１９】図１８とは異なる位置の断面を示す折りたたみ式着火器の縦断面図
【図２０】操作ボタンをスライドさせたときの状態を示す要部拡大断面図
【図２１】燃料供給弁の作動状態を示す、図８の２１−２１線に沿う断面図であり、（ａ）は着火操作前の状態を示し、（ｂ）は着火操作後の状態を示す部分断面図である。
【符号の説明】
【００４４】
１    折りたたみ式着火器
２    本体
４    回動アーム部
８    操作ボタン（操作部材）
２０    パイプ組立体
２６ａ、２６ｂ、２６ｃ    環状壁（円筒壁）
３０ａ、３０ｂ    回動軸（内筒）
４０    係合部
４１    ストッパ
６０ｂ    開口
７０    円弧状内壁（外筒）
８８    凸部
９４    ノズル部（炎噴出ノズル）
９６    ガスパイプ（可撓性燃料導管）
１０２    圧電ユニット
１０６    燃料タンク
１２０    レバー部材（回動阻止部材）
１２２    軸承部
１３４    外部物体
１４２    燃料供給弁
【図１】
0004791784.tif 000002
【図２】
0004791784.tif 000003
【図３】
0004791784.tif 000004
【図４】
0004791784.tif 000005
【図５】
0004791784.tif 000006
【図６】
0004791784.tif 000007
【図７】
0004791784.tif 000008
【図８】
0004791784.tif 000009
【図９】
0004791784.tif 000010
【図１０】
0004791784.tif 000011
【図１１】
0004791784.tif 000012
【図１２】
0004791784.tif 000013
【図１３】
0004791784.tif 000014
【図１４】
0004791784.tif 000015
【図１５】
0004791784.tif 000016
【図１６】
0004791784.tif 000017
【図１７】
0004791784.tif 000018
【図１８】
0004791784.tif 000019
【図１９】
0004791784.tif 000020
【図２０】
0004791784.tif 000021
【図２１】
0004791784.tif 000022